(57)【特許請求の範囲】
【請求項１】
撮影した画像データを記憶するデジタルスチルカメラにおいて、
カメラ本体に対してクリックストップするよう回動し、前記各クリックストップ位置にそれぞれ異なるマークが視認可能に表示された可動台と、
カメラ本体と前記可動台との相対回動位置である各クリックストップ位置を検出して、前記各マークに対応する情報を検出する角度検出手段と、
撮影カットごとに前記角度検出手段の検出角度を対応付けて記憶する撮影角度記憶手段と、
複数の撮影カットからなるパノラマ撮影画像データを撮影角度記憶手段に記憶されている撮影角度情報から特定し、パノラマ撮影と特定した複数の撮影カットのデータを出力する際に隣接する撮影カットのつなぎ撮り部分の合成処理を実行する撮影データ読取手段を設けた
デジタルスチルカメラ。
【請求項２】
撮影した画像データを記憶するデジタルスチルカメラにおいて、
カメラ本体に対して回動自在の可動台と、
カメラ本体と前記可動台との相対回動位置を検出する角度検出手段と、
撮影カットごとに前記角度検出手段の検出角度を対応付けて記憶する撮影角度記憶手段と、
複数の撮影カットからなるパノラマ撮影画像データを撮影角度記憶手段に記憶されている撮影角度情報から特定し、パノラマ撮影と特定した複数の撮影カットのデータを出力する際に隣接する撮影カットのつなぎ撮り部分の合成処理を実行する撮影データ読出手段を設け、
カメラ本体に対して前記可動台を出退自在に構成し、
前記撮影角度記憶手段は、前記可動台がカメラ本体から突出した使用状態での検出角度を撮影カットに対応付けて記憶するように構成した
デジタルスチルカメラ。
【発明の詳細な説明】
【０００１】
【発明の属する技術分野】
本発明は、デジタルスチルカメラに関するものである。
【０００２】
【従来の技術】
半導体技術の進歩によって画素数の多いＣＣＤセンサを安定して生産できるようになり、また、記憶容量の大きな半導体メモリ素子の出現によって、デジタルスチルカメラが民生用に販売されている。
【０００３】
デジタルスチルカメラで撮影して半導体メモリ素子に書き込まれた撮影カットの画像データは、ビデオカメラのビデオ画像を直接にプリントできるプリンタ装置（このプリンタ装置は、一般にビデオプリンタと呼ばれており、パーソナルコンピュータに接続してプリントするデジタルプリンタとは区別されている。）に直接に転送して印字用紙に手軽に出力することができる。
【０００４】
しかし、従来のデジタルスチルカメラ（以下、カメラと称す）を使用して複数の撮影カットからなるパノラマ写真を得るためには、一般家庭では次の何れかの手法でプリントされている。
【０００５】
何れの手法の場合も、撮影は図８の（ａ）に示すようにカメラ１の撮影方向を例えばポジション１ａ，１ｂ，１ｃと変えて被写体２を第１〜第３の撮影カット３ａ，３ｂ，３ｃのように、第２の撮影カット３ｂは一部を第１の撮影カット３ａにオーバーラップさせるよう撮影し、同様に第３の撮影カット３ｃは一部を第２の撮影カット３ｂにオーバーラップさせるよう撮影される。この第１〜第３の撮影カット３ａ〜３ｃの画像データは、図８の（ｂ）に示すようにカメラの画像データメモリ４に撮影カットの順番に１カットづつ区別して記録される。
【０００６】
パーソナルコンピュータを使用したプリント手法の場合には、カメラの画像データメモリ４からパーソナルコンピュータ５に撮影カットの順番に１カットづつ区別して読み込み、パーソナルコンピュータ５の専用の画像処理ソフトウエアを使用して、ユーザー自身がパーソナルコンピュータ５を操作して、パーソナルコンピュータ５のディスプレイ上で第１〜第３の撮影カット３ａ〜３ｃのオーバーラップ部分の修正処理を実施し、この修正後の画像データをデジタルプリンタ６に出力して１枚の用紙に印字したパノラマ写真７がプリント出力されている。
【０００７】
別の手法は、カメラ１の画像データメモリ４から前記ビデオプリンタに撮影カットのデータを１カットづつ送って１カットづつ個別にプリントアウトし、このプリントアウトされた写真を見ながら、ユーザー自身が３枚の写真を横長に手作業で張り合わせる際に重複して撮影されている前記のつなぎ撮り部分を判断してつなぎ合わせ部分が目立たないようにカットしているのが現状である。
【０００８】
【発明が解決しようとする課題】
パーソナルコンピュータを使用した方法では、ユーザーの手作業による方法よりも仕上がりがきれいではあるが、パーソナルコンピュータと画像処理ソフトウエアと云う特別な設備が必要な上、パーソナルコンピュータ上での操作に不慣れなユーザーにとっては操作が難しいと云う問題がある。
【０００９】
本発明はカメラとプリンタ装置とを接続して使用する場合に、従来のようなユーザーの手作業を無くすことができる作業性が良好なデジタルスチルカメラを提供することを目的とする。
【００１０】
【課題を解決するための手段】
本発明のデジタルスチルカメラは、カメラ本体に設けた可動台の回動位置を角度検出手段が検出して、撮影カットごとに対応付けて撮影角度記憶手段が検出角度を記憶することを特徴とする。
【００１１】
この本発明によれば、撮影角度記憶手段が記憶している撮影カットごとの検出角度に基づいて画像データを処理することによってパノラマ撮影した複数の撮影カットは自動的にパノラマ写真として印刷できる。
【００１２】
【発明の実施の形態】
請求項１記載のデジタルスチルカメラは、撮影した画像データを記憶するデジタルスチルカメラにおいて、カメラ本体に対してクリックストップするよう回動し、前記各クリックストップ位置にそれぞれ異なるマークが視認可能に表示された可動台と、カメラ本体と前記可動台との相対回動位置である各クリックストップ位置を検出して、前記各マークに対応する情報を検出する角度検出手段と、撮影カットごとに前記角度検出手段の検出角度を対応付けて記憶する撮影角度記憶手段と、複数の撮影カットからなるパノラマ撮影画像データを撮影角度記憶手段に記憶されている撮影角度情報から特定し、パノラマ撮影と特定した複数の撮影カットのデータを出力する際に隣接する撮影カットのつなぎ撮り部分の合成処理を実行する撮影データ読取手段を設けたことを特徴とする。
【００１３】
請求項２記載のデジタルスチルカメラは、撮影した画像データを記憶するデジタルスチルカメラにおいて、カメラ本体に対して回動自在の可動台と、カメラ本体と前記可動台との相対回動位置を検出する角度検出手段と、撮影カットごとに前記角度検出手段の検出角度を対応付けて記憶する撮影角度記憶手段と、複数の撮影カットからなるパノラマ撮影画像データを撮影角度記憶手段に記憶されている撮影角度情報から特定し、パノラマ撮影と特定した複数の撮影カットのデータを出力する際に隣接する撮影カットのつなぎ撮り部分の合成処理を実行する撮影データ読出手段を設け、カメラ本体に対して前記可動台を出退自在に構成し、前記撮影角度記憶手段は、前記可動台がカメラ本体から突出した使用状態での検出角度を撮影カットに対応付けて記憶するように構成したことを特徴とする。
【００１６】
以下、本発明の各実施の形態を図１〜図７に基づいて説明する。
（実施の形態１）
図１〜図５は（実施の形態１）を示す。
【００１７】
カメラ本体１Ｊには図３に示すように、このカメラ本体１Ｊに対して回動自在の可動台８が設けられており、可動台８は図３の（ａ）に示すようにカメラ本体１Ｊの底部９から突出しないノーマル撮影状態と、図３の（ｂ）に示すようにカメラ本体１Ｊの底部９から突出したパノラマ撮影状態とに出退自在に構成されている。
【００１８】
可動台８はカメラ本体１Ｊに対して回動しない台本体８ａと台本体８ａに対して回動自在の回転板８ｂとで構成されており、回転板８ｂは台本体８ａにマークされた“１”“２”“３”の回転位置でクリックストップするように構成されている。また、回転板８ｂには三脚１０の雲台１１の取り付けネジに螺合する雌ねじが形成されている。
【００１９】
パノラマ撮影時のカメラ１は、図４に示すように可動台８をパノラマ撮影状態にセットして三脚１０の雲台１１に固定される。この状態で図５（ａ）に示すようにカメラ１をポジション１ａ，１ｂ，１ｃと変えて従来と同様に被写体２を撮影する。ここでポジション１ａ，１ｂ，１ｃはそれぞれ可動台８のクリップストップ位置の“１”“２”“３”に対応している。
【００２０】
カメラ１には図１に示す構成の他にモニター用の液晶ディスプレイ（図示せず）などが組み込まれている。
半導体メモリから構成される記憶系１２には、光学系を経て撮像素子で光電変換されて撮影系１３から出力される画像データ１４をシャッターボタンの操作を検出する度に撮影カットとして記憶する画像データメモリ１５と、前記パノラマ撮影状態において可動台８の角度を検出する角度検出手段１６の撮影角度情報１７を撮影カットごとに対応付けて記憶する撮影角度記憶手段１８とが設けられている。
【００２１】
画像データメモリ１５と撮影角度記憶手段１８の記憶内容は、ノーマル撮影状態とパノラマ撮影状態とで図２のＡ，Ｂに示すようになっている。
図２のＡはノーマル撮影状態で、（ａ）はシャッターボタンを３回操作した場合の画像データメモリ１５の内容を示し、（ｂ）は（ａ）に示したカットＮｏ．１〜Ｎｏ．３に対応して撮影角度記憶手段１８に書き込まれた内容を示しており、ノーマル撮影状態の撮影角度記憶手段１８には、何れの撮影カットにおいてもノーマル撮影状態を示すデータ“０”が書き込まれている。
【００２２】
図２のＢはパノラマ撮影状態で、（ａ）は可動台８のクリップストップ位置の“１”“２”“３”に変化させてシャッターボタンを３回操作した場合の画像データメモリ１５の内容を示し、（ｂ）は（ａ）に示したカットＮｏ．１〜Ｎｏ．３に対応して撮影角度記憶手段１８に書き込まれた内容を示しており、パノラマ撮影状態の撮影角度記憶手段１８には、図５（ｂ）に示すようにクリップストップ位置の“１”のカットＮｏ．１に対応してポジション１ａを示すデータ“１”が書き込まれている。クリップストップ位置の“２”のカットＮｏ．２に対応してポジション１ｂを示すデータ“２”が書き込まれている。クリップストップ位置の“３”のカットＮｏ．３に対応してポジション１ｃを示すデータ“３”が書き込まれている。
【００２３】
撮影データ読出手段１９は、撮影カットの画像データに対応して撮影角度記憶手段１８から読み出したデータから、その撮影カットがパノラマ撮影したものかどうかを判定するパノラマ判定部２０と、画像データメモリ１５から読み出した画像データをパノラマ判定部２０の判定結果に基づいて供給先を決定する切換部２１と、パノラマ判定部２０がパノラマ撮影の画像データであると判定した場合に複数の画像データを読み込んでつなぎ撮り撮影の部分を除去して図５の（ｄ）に示す合成処理結果を出力する合成処理部２２とで構成されている。なお、パノラマ判定部２０がノーマル撮影の画像データであると判定した場合には合成処理部２２を介さずに直接にビデオプリンタ２３に出力される。
【００２４】
このように構成したため、カメラ本体１Ｊから可動台８を突出させてパノラマ撮影状態を指定した状態では、撮影角度記憶手段１８に撮影カットごとの角度情報が自動的に書き込まれ、プリント時にはカメラ１とビデオプリンタ２３とを接続して読み出し命令２４を与えると、画像データがパノラマ撮影したものである場合には、合成処理部２２を介してビデオプリンタ２３に合成処理後のパノラマ画像データが送られて図５の（ｆ）に示すように１枚の用紙に印字したパノラマ写真７がプリント出力される。
【００２５】
また、パノラマ撮影状態とノーマル撮影状態の切り換えを図３の（ａ）（ｂ）に示すように可動台８のカメラ本体１Ｊからの出退を検出して実現しているので、パノラマ撮影状態に切り換えることを忘れたり、ノーマル撮影状態に戻すことを忘れたりすることがきわめて少なく、操作性が向上する。
【００２６】
（実施の形態２）
図６は（実施の形態２）を示す。
（実施の形態１）では撮影データ読出手段１９をカメラ１の側に内蔵させたが、この実施の形態では撮影データ読出手段１９と同一構成の撮影データ処理手段２０をビデオプリンタ２３の側に設けて構成されており、印字機構部２５で印字される。
【００２７】
（実施の形態３）
図７は（実施の形態３）を示す。
上記の各実施の形態では図３の（ａ）（ｂ）に示すように可動台８をカメラ本体１Ｊに出退自在に設けたが、これは図７に示すようにカメラ本体１Ｊから突出させない状態で回動自在に構成し、パノラマ撮影状態とノーマル撮影状態とを選択する操作スイッチを別に設け、パノラマ撮影状態ではカメラ本体１Ｊの窓２６から覗くクリックストップ位置の数字を確認して雲台１１に対してカメラ本体１Ｊを回動させてパノラマ撮影するよう構成することによっても同様の目的を達成できる。
【００２８】
【発明の効果】
以上のように本発明のデジタルスチルカメラによれば、カメラ本体に対して回動自在の可動台と、カメラ本体と前記可動台との相対回動位置を検出する角度検出手段と、撮影カットごとに前記角度検出手段の検出角度を対応付けて記憶する撮影角度記憶手段と、複数の撮影カットからなるパノラマ撮影画像データを撮影角度記憶手段に記憶されている撮影角度情報から特定しパノラマ撮影と特定した複数の撮影カットのデータを出力する際に隣接する撮影カットのつなぎ撮り部分の合成処理を実行する撮影データ読出手段を設けたため、画像データの読み出し時に撮影時に書き込んである撮影角度情報に基づいて複数の撮影カットの画像データを自動的に合成処理してパノラマ写真を印字できる。
【図面の簡単な説明】
【図１】本発明の実施の形態１のデジタルスチルカメラの構成図
【図２】同実施の形態のノーマル撮影状態とパノラマ撮影状態の記憶内容の説明図
【図３】同実施の形態の可動台の取り付け状態の説明図
【図４】同実施の形態のパノラマ撮影状態の正面図
【図５】同実施の形態のパノラマ撮影状態の撮影経過と印字経過の説明図
【図６】本発明の実施の形態２のデジタルスチルカメラとプリンタ装置の構成図
【図７】本発明の実施の形態３のデジタルスチルカメラの正面図
【図８】従来のパノラマ撮影状態の撮影経過と印字経過の説明図
【符号の説明】
１    カメラ本体
８    可動台
１２    記憶系
１３    撮影系
１５    画像データメモリ
１６    角度検出手段
１７    撮影角度情報
１８    撮影角度記憶手段
１９    撮影データ読出手段
２０    パノラマ判定部
２１    切換部
２２    合成処理部
２３    ビデオプリンタ（プリンタ装置）
２４    読み出し命令
【図１】
0003734364.tif 000002
【図２】
0003734364.tif 000003
【図３】
0003734364.tif 000004
【図４】
0003734364.tif 000005
【図５】
0003734364.tif 000006
【図６】
0003734364.tif 000007
【図７】
0003734364.tif 000008
【図８】
0003734364.tif 000009